(57)【要約】【課題】室内熱交換器３１と室内ファン３２とを備える空調室内機３０において、室内熱交換器３１に付着している結露水が室内ファン３２の発生する気流によって吹き飛ばされるのを抑制する。【解決手段】室内ファン３２は、回転数が制御されるように構成されている。室内熱交換器３１は、室内ファン３２により供給される室内空気と冷媒との熱交換を行うように設置されている。室内ファン３２に回転数を第１要求値まで上昇させる命令があると、所定条件を満たす場合に、回転数を第１要求値まで上昇させる前に、上昇命令時の回転数と第１要求値の間の第１中間回転数で所定時間だけ室内ファン３２を駆動するように構成されている。【選択図】図４
2019173996.tif 000002
【特許請求の範囲】
【請求項１】
回転数が制御されるように構成された室内ファン（３２）と、
前記室内ファンにより供給される室内空気と冷媒との熱交換を行うように設置された室内熱交換器（３１）と
を備え、
前記室内ファンに回転数を第１要求値まで上昇させる命令があると、所定条件を満たす場合に、回転数を前記第１要求値まで上昇させる前に、上昇命令時の回転数と前記第１要求値の間の第１中間回転数で所定時間だけ前記室内ファンを駆動するように構成されている、空調室内機。
【請求項２】
上昇命令時の回転数と前記第１要求値との差が第１閾値より小さい場合には前記所定条件を満たさないとして、前記室内ファンの前記第１中間回転数での駆動を省いて上昇命令時の回転数から前記第１要求値まで前記室内ファンの回転数を一度に上昇させ、上昇命令時の回転数と前記第１要求値との差が第１閾値以上の場合には前記所定条件を満たすものとして前記第１中間回転数で前記所定時間だけ前記室内ファンを駆動してから前記第１要求値まで回転数を上昇させるように構成されている、
請求項１に記載の空調室内機。
【請求項３】
前記第１要求値で前記所定時間だけ前記室内ファンが駆動される前に前記第１要求値よりも大きな第２要求値に上昇させる命令があった場合、前記第１要求値への上昇命令時の回転数と前記第２要求値との差が前記第１閾値以上のときには、前記第１中間回転数を上昇命令時の回転数と前記第２要求値の間の値に設定して前記所定時間だけ前記室内ファンを駆動するように構成されている、
請求項２に記載の空調室内機。
【請求項４】
前記第１中間回転数で前記所定時間だけ前記室内ファンが駆動された後、段階的に前記第１要求値まで回転数を上昇させる、
請求項１または請求項２に記載の空調室内機。
【請求項５】
前記第１中間回転数で前記所定時間だけ前記室内ファンが駆動された後で且つ前記第１要求値まで回転数が上がっていない場合に前記室内ファンに回転数を前記第１要求値よりも大きな第２要求値に上昇させる更なる命令があったときは、段階的に前記第１要求値まで回転数を上昇させる前記室内ファンの操作を終了して、終了した段階の回転数と前記第２要求値との間の回転数であって前記第１中間回転数よりも大きな第２中間回転数で前記所定時間だけ前記室内ファンを駆動するように構成されている、
請求項４に記載の空調室内機。
【請求項６】
前記室内ファンに回転数を第３要求値まで下降させる命令があったときには、前記第３要求値まで前記室内ファンの回転数を一度に下降させるように構成されている、
請求項１から５のいずれか一項に記載の空調室内機。
【発明の詳細な説明】
【技術分野】
【０００１】
室内ファンと室内熱交換器とを備える空調室内機。
【背景技術】
【０００２】
従来の空調室内機では、例えば特許文献１（特開２０１０−８５０１７号公報）に記載されているように、冷房運転時などに、室内熱交換器に結露水が生じる場合がある。
【発明の概要】
【発明が解決しようとする課題】
【０００３】
特許文献１に記載されているように、室内熱交換器に付着している結露水が、室内ファンが発生する気流によって吹き飛ばされる場合がある。
【０００４】
つまり、室内熱交換器と室内ファンとを備える空調室内機においては、室内熱交換器に付着している結露水が室内ファンの発生する気流によって吹き飛ばされるのを抑制するという課題がある。
【課題を解決するための手段】
【０００５】
第１観点の空調室内機は、回転数が制御されるように構成された室内ファンと、室内ファンにより供給される室内空気と冷媒との熱交換を行うように設置された室内熱交換器とを備え、室内ファンに回転数を第１要求値まで上昇させる命令があると、所定条件を満たす場合に、回転数を第１要求値まで上昇させる前に、上昇命令時の回転数と第１要求値の間の第１中間回転数で所定時間だけ室内ファンを駆動するように構成されている。
【０００６】
このような構成の空調室内機では、所定条件を水飛びの起きる恐れが大きい条件とすることで、第１中間回転数で所定時間だけ室内ファンを駆動させることによって湿り状態を維持させ、室内熱交換器からの水飛びを抑制することができる。
【０００７】
第２観点の空調室内機は、第１観点の空調室内機であって、昇命令時の回転数と第１要求値との差が第１閾値より小さい場合には所定条件を満たさないとして、室内ファンの第１中間回転数での駆動を省いて上昇命令時の回転数から第１要求値まで室内ファンの回転数を一度に上昇させ、上昇命令時の回転数と第１要求値との差が第１閾値以上の場合には所定条件を満たすものとして第１中間回転数で所定時間だけ室内ファンを駆動してから第１要求値まで回転数を上昇させるように構成されている、ものである。
【０００８】
このような構成の空調室内機では、水飛びを起こす恐れが小さい場合には、第１中間回転数での駆動を省くことができ、第１中間回転数での駆動を省かない場合に比べて、要求された第１要求値まで速やかに室内ファンの回転数を上昇させて快適性を向上させることができる。
【０００９】
第３観点の空調室内機は、第２観点の空調室内機であって、第１中間回転数で所定時間だけ室内ファンが駆動された後で且つ第１要求値まで回転数が上がっていない場合に室内ファンに回転数を第１要求値よりも大きな第２要求値に上昇させる更なる命令があったときは、段階的に第１要求値まで回転数を上昇させる室内ファンの操作を終了して、終了した段階の回転数と第２要求値との間の回転数であって第１中間回転数よりも大きな第２中間回転数で所定時間だけ室内ファンを駆動するように構成されている、ものである。
【００１０】
このような構成の空調室内機では、第１要求値への上昇命令時の回転数と第２要求値との差が第１閾値以上の場合に第１中間回転数で所定時間だけ室内ファンを駆動することによって、所定時間内にさらに上昇の命令があった場合に第１中間回転数を経ずに第２要求値まで一度で上昇してしまうことを避けることができ、回転数上昇の命令が短時間に複数回あっても水飛びを抑制することができる。
【００１１】
第４観点の空調室内機は、第１観点又は第２観点の空調室内機であって、第１中間回転数で所定時間だけ室内ファンが駆動された後、段階的に第１要求値まで回転数を上昇させる、ものである。
【００１２】
このような構成の空調室内機では、第１中間回転数から第１要求値まで段階的に回転数を上昇させることで室内熱交換器がさらに乾き難くなって水飛びの抑制効果を高めることができる。
【００１３】
第５観点の空調室内機は、第４観点の空調室内機であって、第１中間回転数で所定時間だけ室内ファンが駆動された後で且つ第１要求値まで回転数が上がっていない場合に室内ファンに回転数を第１要求値よりも大きな第２要求値に上昇させる更なる命令があったときは、段階的に第１要求値まで回転数を上昇させる室内ファンの操作を終了して、終了した段階の回転数と第２要求値との間の回転数であって第１中間回転数よりも大きな第２中間回転数で所定時間だけ室内ファンを駆動するように構成されている、ものである。
【００１４】
このような構成の空調室内機では、段階的に第１要求値まで上昇させる操作を途中で終了して、第２中間回転数で所定時間室内ファンを駆動するので、第２要求値まで上昇するのに掛かる時間を短縮して快適性を向上させることができる。
【００１５】
第６観点の空調室内機は、第１観点から第５観点のいずれかの空調室内機であって、室内ファンに回転数を第３要求値まで下降させる命令があったときには、第３要求値まで室内ファンの回転数を一度に下降させるように構成されている、ものである。
【００１６】
このような構成の空調室内機では、第３要求値まで室内ファンの回転数を一度に降下させるので、回転数を降下するときの時間が長くなるのを防いで快適性を維持させることができる。
【図面の簡単な説明】
【００１７】
【図１】実施形態に係る空調室内機を含む空気調和装置の構成の概要を示す冷媒回路図。
【図２】空気調和装置の制御系統を示すブロック図。
【図３】空調室内機を示す斜視図。
【図４】空調室内機を示す断面図。
【図５】（ａ）水滴の周囲が湿っている場合の水飛びの説明をするための伝熱フィンの模式的な断面図、（ｂ）水滴の周囲が乾いている場合の水飛びの説明をするための伝熱フィンの模式的な断面図。
【図６】空調室内機の動作の一例を説明するためのフローチャート。
【図７】上昇命令時の回転数と第１要求値との差が第１閾値より小さい場合の室内ファンの動作の一例を示すグラフ。
【図８】上昇命令時の回転数と第１要求値との差が第１閾値以上の場合の室内ファンの動作の一例を示すグラフ。
【図９】第１要求値から続けて第２要求値の命令があった場合の室内ファンの動作の一例を示すグラフ。
【図１０】第１要求値から続けて第２要求値の命令があった場合であって且つ待ち時間終了後に第２要求値の命令があった場合の室内ファンの動作の一例を示すグラフ。
【図１１】第１要求値が回転数を下げる命令があった場合の室内ファンの動作の一例を示すグラフ。
【発明を実施するための形態】
【００１８】
（１）構成の概要
空調室内機３０は、図４に示されているように、室内ファン３２と、室内熱交換器３１とを備えている。室内ファン３２は、回転数が制御されるように構成されている。具体的には、室内ファン３２のファンモータ３２ｍ（図１参照）の回転数が制御されるように構成されている。室内熱交換器３１は、室内ファン３２により供給される室内空気と、室内熱交換器３１の中を流れる冷媒との熱交換を行うように設置されている。換言すると、室内ファン３２によって発生する室内空気の気流が通過する場所に、室内熱交換器３１が配置されている。
【００１９】
後ほど詳細に説明するが、空調室内機３０は、室内ファン３２に回転数を第１要求値まで上昇させる命令があると、所定条件を満たす場合に、回転数を第１要求値まで上昇させる前に、上昇命令時の回転数と第１要求値の間の第１中間回転数で所定時間だけ室内ファン３２を駆動するように構成されている。上述の所定条件は、例えば、上昇命令時の回転数と前記第１要求値との差が第１閾値以上という条件である。このような所定条件を満たすときには、水飛びを起こす恐れが大きい。
【００２０】
（２）全体構成
図１に示されている空気調和装置１０は、室外機２０と空調室内機３０とが冷媒連絡管１２，１３で接続されて形成された冷媒回路１１を含んでいる。冷媒回路１１には、室外機２０が備えている圧縮機２１と四路切換弁２２と室外熱交換器２３と膨張弁２４とアキュムレータ２５と閉鎖弁２６，２７及び、空調室内機３０が備えている室内熱交換器３１が接続されている。空気調和装置１０は、蒸気圧縮式冷凍サイクルにより、冷房運転及び暖房運転を選択的に行うことができる構成になっている。冷房運転及び暖房運転が行われるときには閉鎖弁２６，２７は開いた状態になっている。四路切換弁２２は、冷房運転モード及び除湿運転モードでは、実線で示された接続状態になり、暖房運転モードでは、破線で示された接続状態になる。
【００２１】
（２−１）冷房運転モードにおける冷媒の循環
冷房運転モードで運転されているときには、圧縮機２１で圧縮されたガス冷媒が、四路切換弁２２を通って室外熱交換器２３に送られる。この冷媒は、室外熱交換器２３で室外空気に放熱し、膨張弁２４で減圧されて膨張し、閉鎖弁２６及び冷媒連絡管１２を通って室内熱交換器３１に送られる。膨張弁２４から送られてきた低温低圧の冷媒は、室内熱交換器３１で熱交換を行って室内空気から熱を奪う。室内熱交換器３１で熱交換を終えたガス冷媒または気液二相の冷媒は、冷媒連絡管１３、閉鎖弁２７、四路切換弁２２及びアキュムレータ２５を通って圧縮機２１に吸入される。室内熱交換器３１で熱を奪われた調和空気が空調室内機３０から室内に吹出されることにより、室内の冷房が行われる。なお、除湿運転モードで運転されているときも、冷媒が冷媒回路１１を、冷房運転モードで運転されているときと同様に循環する。
【００２２】
（２−２）暖房運転モードにおける冷媒の循環
暖房運転モードで運転されている時には、圧縮機２１で圧縮されたガス冷媒が、四路切換弁２２、閉鎖弁２７及び冷媒連絡管１３を通って室内熱交換器３１に送られる。この冷媒は、室内熱交換器３１で室内空気と熱交換を行って室内空気に熱を与える。室内熱交換器３１で熱交換を行った冷媒は、冷媒連絡管１２及び閉鎖弁２６を通って膨張弁２４に送られる。膨張弁２４で減圧されて膨張した低温低圧の冷媒は、室外熱交換器２３に送られ、室外熱交換器２３で熱交換を行って室外空気から熱を得る。室外熱交換器２３で熱交換を終えたガス冷媒または気液二相の冷媒は、四路切換弁２２及びアキュムレータ２５を通って圧縮機２１に吸入される。室内熱交換器３１で熱を与えられた調和空気が空調室内機３０から室内に吹出されることにより、室内の暖房が行われる。
【００２３】
（２−３）室外空気及び室内空気の流れ
室外機２０が室外ファン２８を備え、空調室内機３０が室内ファン３２を備えている。室外ファン２８は、冷房運転モード、暖房運転モード及び除湿運転モードにおいて、室外熱交換器２３での室外空気と冷媒との熱交換を促進するために、室外空気を室外熱交換器２３に供給する。言い換えると、室外ファン２８の羽根が回転することにより、室外から室外熱交換器２３に向って流れる室外空気の気流が発生する。
【００２４】
また、室内ファン３２は、冷房運転モード、暖房運転モード及び除湿運転モードにおいて、室内熱交換器３１での室内空気と冷媒との熱交換を促進するとともに熱交換後の調和空気を室内に供給するために、室内から室内熱交換器３１に向って流れる室内空気の気流を発生する。
【００２５】
空調室内機３０は、内部から調和空気を吹き出すための吹出口１５１と、室内空気を内部に取り込むための吸込口１５２とを有している。また、空調室内機３０は、吸込口１５２に設けられているエアフィルタ１３０を備えている。このエアフィルタ１３０は、室内熱交換器３１の上流に配置されている。
【００２６】
室内ファン３２が駆動されると、吸込口１５２を通って空調室内機３０の中に室内空気が流入する。図１においては、矢印Ａｒ１が吸込口１５２に吸い込まれる室内空気の流れを象徴している。室内空気は、吸込口１５２を通過して空調室内機３０に取り込まれるときにエアフィルタ１３０を通過する。エアフィルタ１３０を通過した室内空気は、室内熱交換器３１で熱交換されることによって調和空気になる。調和空気は、室内熱交換器３１から室内ファン３２を通って吹出口１５１から吹出される。図１においては、矢印Ａｒ２が吹出口１５１から吹出される調和空気の流れを象徴している。
【００２７】
室外ファン２８及び室内ファン３２は、ファンモータ２８ｍ，３２ｍによって駆動される。ファンモータ２８ｍ、３２ｍは、回転数を変更できるように構成されている。室外ファン２８の羽根及び室内ファン３２の羽根がファンモータ２８ｍ、３２ｍの回転軸に取り付けられており、本実施形態では、ファンモータ２８ｍ，３２ｍの回転数と室外ファン２８及び室内ファン３２の回転数が一致する。しかし、ファンモータ２８ｍ，３２ｍの回転数と室外ファン２８及び室内ファン３２の回転数が一致しないように構成することもできる。室外ファン２８のファンモータ２８ｍは、室外制御装置９１によって制御されている。室内ファン３２のファンモータ３２ｍは、室内制御装置９２によって制御されている。また、圧縮機２１は、圧縮機モータ２１ｍによって駆動され、運転周波数を変更できるように構成されている。この圧縮機２１、四路切換弁２２及び膨張弁２４も室外制御装置９１によって制御されている。
【００２８】
室内ファン３２の回転数は、室内制御装置９２により、例えば、７００ｒｐｍから１２００ｒｐｍまで変更される。室内制御装置９２は、風量をステップ状に変更することができる。各段階の回転数と風量の関係について、例えば、回転数７００ｒｐｍのときファンタップＬＬの風量、回転数８００ｒｐｍのときファンタップＬの風量、回転数９００ｒｐｍのときファンタップＬＭの風量、回転数１０００ｒｐｍのときファンタップＭの風量、回転数１１００ｒｐｍのときファンタップＨＭの風量、そして回転数１２００ｒｐｍのときファンタップＨの風量に設定されている。従って、ファンタップＬＬの風量が最も小さく、ファンタップＨの風量が最も大きい。
【００２９】
（２−４）制御系統
上述の室外制御装置９１と室内制御装置９２は、互いに接続されており、互いに協働して空気調和装置１０を制御する空調制御装置９０として機能する。図２には、空気調和装置１０の制御系統の概要が示されている。室外機２０の電装品ボックス（図示せず）に設置されている室外制御装置９１及び各空調室内機３０の各電装品ボックス（図示せず）に設置されている室内制御装置９２が、ハーネスなどの配線によって接続されて空調制御装置９０が構成されている。
【００３０】
室外制御装置９１は、ＣＰＵ９１１、メモリ９１２及びタイマ９１３を含んで構成されている。また、室内制御装置９２は、ＣＰＵ９２１、メモリ９２２及びタイマ９２３を含んで構成されている。メモリ９１２，９２２には、室外機２０及び空調室内機３０を制御するためのプログラム及びデータが記述されている。ＣＰＵ９１１，９２１は、メモリ９１２，９２２に記述されているプログラムを実行することにより、空気調和装置１０を構成している複数の機器を制御するための信号を生成する。さらに、室内制御装置９２には、ユーザが操作入力するリモートコントローラ９９の指令を受け付ける受信部３９が接続されている。
【００３１】
空調室内機３０には、調和空気の吹出方向を変える第１水平フラップ１６１及び第２水平フラップ１６２並びに垂直フラップ１６３（図４参照）が設けられている。そして、空調室内機３０には、これら第１水平フラップ１６１及び第２水平フラップ１６２並びに垂直フラップ１６３を駆動するステッピングモータ１７１，１７２，１７３のドライバ（図示せず）、及び運転モードなどを表示する表示部３８（図３参照）などが設けられている。
【００３２】
空調制御装置９０には、種々のセンサの検出値が入力され、これらの値に基づいて空気調和装置１０の冷房運転、暖房運転及び除湿運転の制御が行われる。図１及び図２には、空気調和装置１０に設置されている種々のセンサのうちの室内温度センサ５１、室内湿度センサ５２及び吐出管温度センサ５３が示され、他のセンサについての記載は省略されている。
【００３３】
室内温度センサ５１及び室内湿度センサ５２は、空調室内機３０の吸込口１５２の下流であって、室内熱交換器３１の上流に配置されている。室内温度センサ５１は、吸込口１５２から吸い込まれる空気の温度を検知することにより、室温を検知する。室内湿度センサ５２は、吸込口１５２から吸い込まれる空気の相対湿度を検知することにより、室内の湿度を検知する。吐出管温度センサ５３は、圧縮機２１から吐出される冷媒の温度による制御を行うために設けられており、圧縮機２１の吐出口に接続されている吐出管の温度を検知する。
【００３４】
（３）空調室内機３０の構成
図３には、運転時の空調室内機３０の外観が示されている。空調室内機３０は、室内機本体１１０と、室内機本体１１０の前面１１１を覆う前面パネル１２０とを備えている。空調室内機３０は、壁掛けタイプであり、壁面ＷＡに取り付けられている。この空調室内機３０では、室内機本体１１０の後面１１２が、壁面ＷＡに固定されている。
【００３５】
空調室内機３０の吹出口１５１は、前面パネル１２０が取り付けられている室内機本体１１０の前面下部に配置されている。この吹出口１５１は、水平方向に沿って長く延びている。図４には、吹出口１５１の長手方向に対して垂直な平面で切断した、空調室内機３０の断面構造が示されている。
【００３６】
前面パネル１２０は、モータによって自動的に移動するように構成されている。空調室内機３０が停止しているときは、吹出口１５１の前方が、前面パネル１２０によって覆い隠され、吹出口１５１の下方が、第１水平フラップ１６１で覆い隠される。従って、空調室内機３０が停止しているときには、室内機本体１１０の内部の複雑な構造が吹出口１５１を通してユーザに露呈されることがないので、空調室内機３０が良好な外観意匠を呈する。
【００３７】
運転開始前に前面パネル１２０が室内機本体１１０の前面１１１の前方上方へ移動し、吹出口１５１の前方を開放する。その後、室内機本体１１０の下部に位置する第１水平フラップ１６１が時計方向に１８０°回動して図４に示されている位置に移動し、吹出口１５１の下部を開放する。なお、本実施形態では、前面パネル１２０が移動する構成の空気調和装置１０について説明しているが、本実施形態で説明している水飛びを抑制する技術は、前面パネル１２０が移動しないタイプの空気調和装置にも適用することができる。
【００３８】
空調室内機３０は、外郭を形成するケーシング１００、調和空気の吹出方向を調整する第１水平フラップ１６１、第２水平フラップ１６２、垂直フラップ１６３及びエアフィルタ１３０を備えている。前述の前面パネル１２０及び室内機本体１１０の前面１１１は、ケーシング１００に含まれる。また、空調室内機３０が備えている室内熱交換器３１、室内ファン３２は、ケーシング１００の内部に収容されている。
【００３９】
（３−１）空調室内機３０の各構成部の配置
図４に示されているように、室内機本体１１０の天面１１３及び前面１１１に、吸込口１５２が配置されている。さらに、室内機本体１１０の下面１１４と前面１１１との境界部分に、吹出口１５１が配置されている。
【００４０】
室内熱交換器３１は、吹出口１５１の長手方に見てΛ型の形状を呈し、室内機本体１１０の前面１１１と後面１１２と天面１１３の近くに配置されている。また、室内熱交換器３１の長さは、吹出口１５１の長手方向の長さに合わせて設定されている。そして、吹出口１５１の長さ方向において、吹出口１５１と室内熱交換器３１とが実質的に一致するように配置されている。室内熱交換器３１と吹出口１５１の間に室内ファン３２が配置されている。室内ファン３２は、例えばクロスフローファンであり、室内熱交換器３１の長さに近いかまたは一致する長さを持っている。
【００４１】
また、室内熱交換器３１と吸込口１５２の間に、空気中の塵埃などを除去するために、室内熱交換器３１の上方及び前方を覆うように、エアフィルタ１３０が配置されている。第１水平フラップ１６１及び第２水平フラップ１６２は、吹出口１５１に配置されている。垂直フラップ１６３は、室内ファン３２と第１水平フラップ１６１及び第２水平フラップ１６２との間に配置されている。
【００４２】
吸込口１５２から吸い込まれた室内空気は、まず、エアフィルタ１３０を通過して塵埃などを除去される。室内空気は、次に、エアフィルタ１３０の下流に配置されている室内熱交換器３１を通過する。室内熱交換器３１は、例えばフィンアンドチューブ式の熱交換器である。室内熱交換器３１の多数の伝熱フィン３１ａ（図５（ｂ）参照）の間を通過する室内空気が、伝熱フィン３１ａを貫通している伝熱管の中を流れる冷媒と熱交換する。室内熱交換器を通過して調和された調和空気は、室内熱交換器３１の下流に配置されている室内ファン３２によって、さらに下流に位置する吹出口１５１に向けて押し出される。調和空気は、吹出口１５１から吹出されるときに、水平面に対する吹出し角度を、第１水平フラップ１６１及び第２水平フラップ１６２によって調整される。また、調和空気は、吹出口１５１から吹出されるときに、吹出口１５１の長手方向と直交する鉛直面に対する吹出し角度を、垂直フラップ１６３によって調整される。
【００４３】
（４）室内ファン３２の回転数変更時の水飛び抑制
（４−１）水飛び抑制の概要
冷房運転モードまたは除湿運転モードにおいては、室内ファン３２の回転数を上げるときに、特に水飛びが発生し易くなる。なお、本実施形態において、水飛びとは、結露によって室内熱交換器３１に付着した水滴（露）が室内ファン３２により生じる空気流によって吹き飛ばされる現象をいう。図５（ａ）及び図５（ｂ）には、室内熱交換器３１の伝熱フィン３１ａと、伝熱フィン３１ａに着いた水滴５０１（露）とが模式的に示され、室内ファン３２によって発生している空気流が矢印Ａｒ３で模式的に示されている。破線で示されている水滴５０１の状態は、実線で示されている水滴５０１の状態から少し時間が経過した後の状態である。図５（ａ）には、水滴５０１の周りが水分５０２によって湿っている状態が示され、図５（ｂ）には、水滴５０１の周りが乾いている状態が示されている。なお、図５（ａ）では、水分５０２の存在を図面で説明するために多くの水分５０２が存在するかのように記載されているが、湿っていればよく、多くの水分５０２が水滴５０１の周囲に存在する必要はない。図５（ｂ）のように水滴５０１の周囲が乾いている場合に比べて、図５（ａ）のように水滴５０１の周囲が湿っている場合には、水滴５０１が水分５０２によって引き止められ、水飛びが生じ難くなる。
【００４４】
次に、水飛びを起こす恐れが大きい場合に、室内熱交換器３１に付着している水滴の周りが乾かないようにしながら室内ファン３２の回転数を上げる方法を、図６に示されているフローに沿って説明する。図６に示されているように、空調室内機３０は、風量変更の命令を受けるのを待っている（ステップＳ１）。風量の変更は、例えば、ユーザがリモートコントローラ９９を使って現在の風量とは異なる風量を設定することによって発生する。空調室内機３０の受信部３９は、ユーザが選択したファンタップの風量に設定する命令をリモートコントローラ９９から受信する。受信部３９から室内制御装置９２に、風量を、ユーザが選択したファンタップに設定する命令が送信される。この命令を受信した室内制御装置９２では、ＣＰＵ９２１が、風量変更の命令を受けたことを認識する。その結果、空調室内機３０は、風量変更の命令を受けたと判断する（ステップＳ１のＹｅｓ）。ここでは、リモートコントローラ９９によって風量変更の命令を受けた場合を説明したが、風量変更の命令を受けるのはリモートコントローラ９９だけに限られるものではない。室内制御装置９２の中で風量を自動的に設定するプログラムが実行されている場合、例えば室内ファン３２の回転数が自動的に増加するような場合がある。
【００４５】
なお、ユーザがリモートコントローラ９９を使って風量の変更を指示する場合に、ボタンを押し誤ったり、リモートコントローラ９９の操作後すぐに心変わりするなどして風量変更の内容を変えたりするなどの可能性がある。そのため、室内制御装置９２は、リモートコントローラ９９から風量変更の命令を受けた時点でタイマ９２３による経過時間の計測を開始して、予め設定されている確定時間ＴＤが経過するまで新たな風量変更の命令を待つように構成されてもよい。そして、リモートコントローラ９９による回転数の変更命令のタイミングから、室内ファン３２の回転数を上げることを確定するための確定時間ＴＤが経過した後に、変更すべき風量のファンタップを確定する。
【００４６】
風量変更の命令を受けた空調室内機３０は、室内ファン３２の回転数を上げるか否かを判断する（ステップＳ２）。室内ファン３２の回転数を上げない場合（ステップＳ２のＮｏ）、つまり回転数を下げる場合には水飛びが発生する可能性が小さいので、例えば最短時間で一度に、変更を命じられた第１要求値に室内ファン３２の回転数を変更する（ステップＳ６）。ここで、最短時間とは、室内ファン３２の能力または規格によって決まっている、変更に必要な最低の時間である。ここで最短時間と述べているのは、後述する第１中間回転数で一旦上昇を止めるようなことをしないことを明確にするためであり、最短時間よりも多少時間が延びても、比較的速く風量が変更できれば本技術の効果を奏する。
【００４７】
なお、本実施形態では、ユーザがリモートコントローラ９９によって風量の変更を指示する場合、室内ファン３２の回転数を変更している途中に、続けて新たな風量の変更をユーザがリモートコントローラ９９によって命令する場合がある。そのような場合を考慮して、最初に命令された風量を第１要求値、続けて命令された風量の変更を第２要求値のように区別する。また、後述する第１中間回転数は、後述する第２中間回転数と区別されており、第２中間回転数より前の小さな回転数である。続けて新たな風量の変更をユーザがリモートコントローラ９９によって命令されたときに、第２要求値に変更する前に、一旦第１中間回転数よりも大きな第２中間回転数で所定時間だけ室内ファン３２を駆動する場合がある。
【００４８】
室内ファン３２の回転数を上げる場合（ステップＳ２のＹｅｓ）には、室内制御装置９２は、判断時点で、現在駆動中の室内ファン３２の回転数をメモリ９２２に記憶する（ステップＳ３）。そして、室内制御装置９２は、メモリ９２２に記憶している回転数を上昇命令時の回転数として、リモートコントローラ９９によって命令された第１要求値から差し引いて、それらの差を計算する。室内制御装置９２のメモリ９２２には、第１閾値の値が予め記憶されている。室内制御装置９２は、算出した第１要求値と上昇命令時の回転数との差と、記憶していた第１閾値の値とを比較する。第１要求値と上昇命令時の回転数との差が第１閾値以上の場合（ステップＳ４のＹｅｓ）には、第１要求値と上昇命令時の回転数との間の第１中間回転数で所定時間だけ室内ファン３２を駆動した後（ステップＳ５）、室内ファン３２の回転数を第１要求値に変更する（ステップＳ６）。一方、第１要求値と上昇命令時の回転数との差が第１閾値よりも小さい場合（ステップＳ４のＮｏ）には、第１中間回転数における所定時間の駆動を省いて、例えば最短時間で一度に、変更を命じられた第１要求値に室内ファン３２の回転数を変更する（ステップＳ６）。
【００４９】
（４−２）上昇命令時の回転数と第１要求値との差が第１閾値より小さい場合
上昇命令時の回転数と第１要求値との差が第１閾値より小さい場合の室内ファン３２の動作を、図７を用いて説明する。図７において、グラフＬ１が室内ファン３２の回転数を示しており、グラフＬ２が回転数の上限値を示している。図７に示されている例では、時刻ｔ１の時点で、リモートコントローラ９９によりファンタップＭに風量を変更する命令が室内制御装置９２に送信されている。時刻ｔ１の上昇命令時には、室内ファン３２は、ファンタップＬで駆動されている。本実施形態では、回転数を上昇命令時の８００ｒｐｍ（ファンタップＬ）から第１要求値の１０００ｒｐｍ（ファンタップＭ）に変更する命令を室内制御装置９２が受信したということである。図７のグラフ上では、ファンタップＬのときの第１閾値が、許容変化量ＡＱ１で示されている。ファンタップＭが許容変化量ＡＱ１の範囲内であるので、この場合に室内制御装置９２は、最短時間で一度に回転数を変更して、風量をファンタップＬからファンタップＭに変更する。図７において、グラフＬ２は、時刻ｔ１以降の風量が許容変化量ＡＱ１の範囲を外れたときの回転数の上限値の変化も示している。風量がファンタップＭに変化した直後、直ぐに続けて新たな風量変更の命令があっても待ち時間ＴＭ１の間は、ファンタップＬからの許容変化量ＡＱ１を超えないように回転数の上限値が設定される。そして、時間とともに、回転数の上限値がステップ状に上昇して、最終的には、ファンタップＭ（上昇命令時の回転数）を基準として許容変化量ＡＱ２の範囲（第１閾値）で、ステップＳ４の判断ができる状態になる。このときに設定されている待ち時間ＴＭ１は、水滴の周りが湿るのを待っている時間である。
【００５０】
（４−３）上昇命令時の回転数と第１要求値との差が第１閾値以上の場合
上昇命令時の回転数と第１要求値との差が第１閾値以上の場合の室内ファン３２の動作を、図８を用いて説明する。図８において、グラフＬ１１が室内ファン３２の回転数を示しており、グラフＬ１２が回転数の上限値を示しており、グラフＬ１３が目標回転数を示しており、グラフＬ１４がグラフＬ１１とグラフＬ１２の一致部分を示している。図８に示されている例では、時刻ｔ２の時点で、リモートコントローラ９９によりファンタップＨに風量を変更する命令が室内制御装置９２に送信されている。時刻ｔ２の上昇命令時には、室内ファン３２は、ファンタップＬで駆動されている。本実施形態では、回転数を上昇命令時の８００ｒｐｍ（ファンタップＬ）から第１要求値の１２００ｒｐｍ（ファンタップＨ）に変更する命令を室内制御装置９２が受信したということである。図８のグラフ上では、ファンタップＬのときの第１閾値が、許容変化量ＡＱ３で示されている。ファンタップＨが許容変化量ＡＱ３の範囲から外れているので、この場合に室内制御装置９２は、第１中間回転数に対応する風量ＲＲ１に変更して所定時間である待ち時間ＴＭ２だけ室内ファン３２を駆動する。室内制御装置９２は、待ち時間ＴＭ２が経過した後、第１中間回転数に許容変化量ＡＱ４に応じた値を加えた回転数に達するまで、回転数の上限値をステップ状に変化させる。室内制御装置９２は、この回転数の上限値を超えないようにファンタップＨの風量に達するまで回転数を上昇させる。つまり、室内ファン３２の回転数は、グラフＬ１４に示されているように変更される。なお、このときに設定されている待ち時間ＴＭ２は、水滴の周りが湿るのを待っている時間である。
【００５１】
（４−４）第１要求値から続けて第２要求値についての命令があった場合
第１要求値から続けて第２要求値の命令があった場合の室内ファン３２の動作を、図９を用いて説明する。図９において、グラフＬ２１が室内ファン３２の回転数を示しており、グラフＬ２２が回転数の上限値を示しており、グラフＬ２３が目標回転数を示しており、グラフＬ２４がグラフＬ２１とグラフＬ２２の一致部分を示している。図９に示されている例では、時刻ｔ３の時点で、リモートコントローラ９９によりファンタップＭに風量を変更する命令が室内制御装置９２に送信されている。そしてさらに、時刻ｔ４の時点で、リモートコントローラ９９によりファンタップＨに風量を変更する命令が室内制御装置９２に送信されている。時刻ｔ３の上昇命令時には、室内ファン３２は、ファンタップＬで駆動されている。本実施形態では、回転数を上昇命令時の８００ｒｐｍ（ファンタップＬ）から第１要求値の１０００ｒｐｍ（ファンタップＭ）に変更する命令を室内制御装置９２が受信し、さらに第２要求値の１２００ｒｐｍ（ファンタップＨ）に変更する命令を室内制御装置９２が受信したということである。図９のグラフ上では、ファンタップＬのときの第１閾値が許容変化量ＡＱ５で示され、第１中間回転数に対応する風量ＲＲ１のときの第１閾値が許容変化量ＡＱ６で示されている。時刻ｔ３の時点では、ファンタップＭが許容変化量ＡＱ５の範囲内であるので、この場合に室内制御装置９２は、最短時間で一度に回転数を変更して、風量をファンタップＬからファンタップＭに変更する。しかし、時刻ｔ４の時点では、ファンタップＨが許容変化量ＡＱ６の範囲から外れているので、この場合に室内制御装置９２は、第１中間回転数に対応する風量ＲＲ１に変更して所定時間である待ち時間ＴＭ４だけ室内ファン３２を駆動する。室内制御装置９２は、待ち時間ＴＭ４が経過した後、第１中間回転数に許容変化量ＡＱ６に応じた値を加えた回転数に達するまで、回転数の上限値をステップ状に変化させる。室内制御装置９２は、この回転数の上限値を超えないようにファンタップＨの風量に達するまで回転数を上昇させる。つまり、室内ファン３２の回転数は、グラフＬ２４に示されているように変更される。なお、このときに設定されている待ち時間ＴＭ３，ＴＭ４は、水滴の周りが湿るのを待っている時間である。室内制御装置９２は、時刻ｔ３の時点で一旦待ち時間ＴＭ３を設定しているが、時刻ｔ４でさらに上昇命令を受信したときに、待ち時間ＴＭ４を再設定する。
【００５２】
なお、このように続けて第２要求値への変更が命じられた場合に、待ち時間ＴＭ３の間は、第２要求値の上昇命令時の回転数として、第１要求値への上昇命令時のファンタップＬに応じた値を用いる。従って、待ち時間ＴＭ３の間は、第２要求値がファンタップＨに応じた回転数であっても、ファンタップＭを基準として判断しないので、待ち時間ＴＭ３が終わらないうちに時刻ｔ４の時点で、ファンタップＨに応じた回転数に室内ファン３２の回転数が一度に変更されることはない。もし、時刻ｔ４の時点でファンタップＭを基準に判断してしまうと、ファンタップＨが許容変化量ＡＱ５の範囲内にあるので、一度でファンタップＨまで変化してしまって水飛びの恐れが大きくなる。
【００５３】
（４−５）待ち時間終了後に第２要求値についての命令があった場合
第１要求値から続けて第２要求値の命令があった場合であって且つ待ち時間終了後に第２要求値の命令があった場合の室内ファン３２の動作を、図１０を用いて説明する。図１０において、グラフＬ３１が室内ファン３２の回転数を示しており、グラフＬ３２が回転数の上限値を示しており、グラフＬ３３が目標回転数を示しており、グラフＬ３４がグラフＬ３１とグラフＬ３２の一致部分を示している。図１０に示されている例では、時刻ｔ５の時点で、リモートコントローラ９９によりファンタップＨＭに風量を変更する命令が室内制御装置９２に送信されている。そしてさらに、時刻ｔ６の時点で、リモートコントローラ９９によりファンタップＨに風量を変更する命令が室内制御装置９２に送信されている。時刻ｔ５の上昇命令時には、室内ファン３２は、ファンタップＬで駆動されている。本実施形態では、回転数を上昇命令時の８００ｒｐｍ（ファンタップＬ）から第１要求値の１１００ｒｐｍ（ファンタップＨＭ）に変更する命令を室内制御装置９２が受信し、さらに第２要求値の１２００ｒｐｍ（ファンタップＨ）に変更する命令を室内制御装置９２が受信したということである。図１０のグラフ上では、ファンタップＬのときの第１閾値が許容変化量ＡＱ７で示され、第１中間回転数に対応する風量ＲＲ１のときの第１閾値が許容変化量ＡＱ８で示され、さらに回転数がステップ状に１段階増加してからの第１閾値が許容変化量ＡＱ９で示されている。時刻ｔ５の時点では、ファンタップＨＭが許容変化量ＡＱ７の範囲を外れているので、室内制御装置９２は、第１中間回転数に対応する風量ＲＲ１に変更して所定時間である待ち時間ＴＭ５だけ室内ファン３２を駆動する。時刻ｔ６の時点では、ファンタップＨが許容変化量ＡＱ９の範囲から外れているので、この場合に室内制御装置９２は、第２中間回転数に対応する風量ＲＲ２に変更して所定時間である待ち時間ＴＭ６だけ室内ファン３２を駆動する。このとき、既に待ち時間ＴＭ５が経過しているので、第２中間回転数に対応する風量ＲＲ２まで最短時間で一度に変更している。室内制御装置９２は、待ち時間ＴＭ６が経過した後、第２中間回転数に許容変化量ＡＱ１０に応じた値を加えた回転数に達するまで、回転数の上限値をステップ状に変化させる。室内制御装置９２は、この回転数の上限値を超えないようにファンタップＨの風量に達するまで回転数を上昇させる。つまり、室内ファン３２の回転数は、グラフＬ３４に示されているように変更される。なお、このときに設定されている待ち時間ＴＭ５，ＴＭ６は、水滴の周りが湿るのを待っている時間である。
【００５４】
（４−６）回転数を第１要求値まで下げる命令があった場合
第１要求値が回転数を下げる命令であり、その後続けて第２要求値の命令があった場合の室内ファン３２の動作を、図１１を用いて説明する。図１１において、グラフＬ４１が室内ファン３２の回転数を示しており、グラフＬ４２が回転数の上限値を示しており、グラフＬ４３が目標回転数を示しており、グラフＬ４４がグラフＬ４１とグラフＬ４２の一致部分を示している。図１１に示されている例では、時刻ｔ７の時点で、リモートコントローラ９９によりファンタップＬに風量を変更する命令が室内制御装置９２に送信されている。そしてさらに、時刻ｔ８の時点で、リモートコントローラ９９によりファンタップＨＭに風量を変更する命令が室内制御装置９２に送信されている。時刻ｔ７の上昇命令時には、室内ファン３２は、ファンタップＭで駆動されている。本実施形態では、回転数を上昇命令時の１０００ｒｐｍ（ファンタップＭ）から第１要求値の８００ｒｐｍ（ファンタップＬ）に変更する命令を室内制御装置９２が受信し、さらに第２要求値の１１００ｒｐｍ（ファンタップＨＭ）に変更する命令を室内制御装置９２が受信したということである。図１１のグラフ上では、ファンタップＬのときの第１閾値が許容変化量ＡＱ１１で示され、第１中間回転数に対応する風量ＲＲ１のときの第１閾値が許容変化量ＡＱ１２で示されている。時刻ｔ７の時点では、ファンタップＭからファンタップＬへと回転数を下げる命令であるので、室内制御装置９２は、単にファンタップＬに対応する回転数に下げて室内ファン３２を駆動する。このとき、特に待ち時間などの設定も行わない。時刻ｔ８の時点では、ファンタップＨＭが許容変化量ＡＱ１１の範囲から外れているので、この場合に室内制御装置９２は、第１中間回転数に対応する風量ＲＲ１に変更して所定時間である待ち時間ＴＭ７だけ室内ファン３２を駆動する。室内制御装置９２は、待ち時間ＴＭ７が経過した後、第１中間回転数に許容変化量ＡＱ１２に応じた値を加えた回転数に達するまで、回転数の上限値をステップ状に変化させる。室内制御装置９２は、この回転数の上限値を超えないようにファンタップＨＭの風量に達するまで回転数を上昇させる。つまり、室内ファン３２の回転数は、グラフＬ４４に示されているように変更される。なお、このときに設定されている待ち時間ＴＭ７は、水滴の周りが湿るのを待っている時間である。
【００５５】
（５）特徴
（５−１）
図８などを用いて説明したように、リモートコントローラ９９などにより室内ファン３２の風量変更時に命令された第１要求値（例えば図８のファンタップＨに対応する１２００ｒｐｍ）まで回転数を上昇させる前に、第１中間回転数（例えば図８の風量ＲＲ１に応じた回転数）で所定条件（例えば図８の許容変化量ＡＱ３）を、水飛びの起きる恐れが大きい条件とすることができる。第１中間回転数で所定時間（例えば図８の待ち時間ＴＭ２）だけ室内ファン３２を駆動させることで、結露によってできた水滴の周りの湿り状態を維持させて室内熱交換器３１からの水飛びを抑制することができる。
【００５６】
この点について空気調和装置１０の全体の動作について考える。風量が急激に大きく変化すると、冷媒回路１１の動作に遅れが生じ、室内熱交換器３１の熱交換能力の変化が風量の急激な変化に対して遅れを生じる。その結果、室内ファン３２の変更後の風量に対して、室内熱交換器３１の熱交換能力が足りなくなり、室内熱交換器３１の温度上昇と風量の増加によって室内熱交換器３１の水滴の周囲が乾き易くなる。第１中間回転数で所定時間だけ室内ファン３２が駆動されることで、風量の急上昇によって室内熱交換器３１の水滴の周囲が乾き易くなるのを抑制している。
【００５７】
（５−２）
図７を用いて説明したように、所定条件（例えば図７の許容変化量ＡＱ１）を満たさないような水飛びの恐れが小さい場合には、第１中間回転数での駆動を省いて第１要求値（図７のファンタップＭに対応する１０００ｒｐｍ）まで一度で変更することができる。その結果、第１中間回転数での駆動を省かない場合に比べて、要求された第１要求値まで速やかに室内ファン３２の回転数を上昇させて快適性を向上させることができる。
【００５８】
（５−３）
図９を用いて説明したが、第１要求値（図９のファンタップＭに対応する回転数）への上昇命令時の回転数（図９のファンタップＬに対応する回転数）と第２要求値（図９のファンタップＨに対応する回転数）との差が第１閾値以上の場合（図９の許容変化量ＡＱ５を外れる場合）に第１中間回転数（図９の風量ＲＲ１に対応する回転数）で所定時間（図９の待ち時間ＴＭ４）だけ室内ファン３２を駆動することによって、所定時間内にさらに上昇の命令があった場合に第１中間回転数を経ずに第２要求値まで一度で上昇してしまうことを避けることができる。その結果、空調室内機３０は、回転数上昇の命令が短時間に複数回あっても水飛びを抑制することができるようになっている。
【００５９】
（５−４）
図８に示されている待ち時間ＴＭ２が経過した後のような、第１中間回転数（図８の風量ＲＲ１に対応する回転数）から第１要求値（図８のファンタップＨに対応する回転数）までの段階的な回転数の上昇を行わせると、室内熱交換器３１がさらに乾き難くなって水飛びの抑制効果を高めることができる。
【００６０】
（５−５）
図１０を用いて説明したように、空調室内機３０は、第１中間回転数（図１０の風量ＲＲ１に対応する回転数）で所定時間（図１０の待ち時間ＴＭ５）だけ室内ファン３２が駆動された後で且つ第１要求値（図１０のファンタップＨＭに対応する回転数）まで回転数が上がっていない場合に室内ファン３２に回転数を第１要求値よりも大きな第２要求値（図１０のファンタップＨに対応する回転数）に上昇させる更なる命令があったときは、段階的に第１要求値まで回転数を上昇させる室内ファン３２の操作を終了して、終了した段階の回転数と第２要求値との間の回転数であって第１中間回転数よりも大きな第２中間回転数（図１０の風量ＲＲ２に対応する回転数）で所定時間（図１０の待ち時間ＴＭ６）だけ室内ファン３２を駆動するように構成されている。このように構成された空調室内機３０は、段階的に第１要求値まで上昇させる操作を途中で終了して、第２中間回転数で所定時間だけ室内ファン３２を駆動するので、第２要求値まで上昇するのに掛かる時間を短縮して快適性を向上させることができる。
【００６１】
（５−６）
図１１を用いて説明したように、空調室内機３０は、室内ファン３２に回転数を第３要求値まで下降させる命令（図１１のファンタップＭに対応する回転数からファンタップＬに対応する回転数に変更する命令）があったときには、第３要求値（図１１のファンタップＬに対応する回転数）まで室内ファン３２の回転数を一度に下降させるように構成されている。このように、第３要求値まで室内ファン３２の回転数を一度に降下させることで、空調室内機３０は、回転数を降下するときの時間が長くなるのを防いで快適性を維持させることができる。
【００６２】
（６）変形例
（６−１）変形例１Ａ
上記実施形態では、１台の室外機２０に１台の空調室内機３０が接続されるペアタイプの場合について説明したが、１台の室外機に複数の空調室内機が接続されるマルチタイプにも上記実施形態の技術を適用することができる。
【００６３】
（６−２）変形例１Ｂ
上記実施形態では、空調室内機３０が壁掛け型の場合を例に挙げて説明したが、空調室内機３０は壁掛け型に限られるものではない。空調室内機３０は、例えば、天井設置型、天井吊り下げ型または床置き型であってもよい。
【００６４】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００６５】
１０  空気調和装置
２０  室外機
３０  空調室外機
３１  室内熱交換器
３２  室内ファン
【先行技術文献】
【特許文献】
【００６６】
【特許文献１】特開２０１０−８５０１７号公報
【図１】
2019173996.tif 000003
【図２】
2019173996.tif 000004
【図３】
2019173996.tif 000005
【図４】
2019173996.tif 000006
【図５】
2019173996.tif 000007
【図６】
2019173996.tif 000008
【図７】
2019173996.tif 000009
【図８】
2019173996.tif 000010
【図９】
2019173996.tif 000011
【図１０】
2019173996.tif 000012
【図１１】
2019173996.tif 000013